(57)【要約】【課題】工事現場等における危険箇所を知らせる表示器の標示システムに関する。【解決手段】複数配列の表示器とマスター器であって、マスター器には前記標示器の発信器の搬送波を受信する受信器と前記標示器の受信器で受信する搬送波を送信する発信器及び制御器を備え、前記マスター器による初期化信号を受信した各表示器は、標示器の識別符号を伴って発信することによって、マスター器は配列された標示器の識別符号により配列順序を知る。【選択図】図１
2016018231.tif 000002
【特許請求の範囲】
【請求項１】
複数配列の表示器とマスター器であって、
標示器には発信器と受信機及び制御器を備え、
前記マスター器には前記標示器の発信器の搬送波を受信する受信器と前記標示器の受信器で受信する搬送波を送信する発信器及び制御器を備え、
前記マスター器による初期化信号を受信した各表示器は、標示器の識別符号を伴って発信し、該搬送波をマスター器で受信することによって、マスター器は配列された標示器の識別符号により配列順序を知ることを特徴とする表示器の標示システム。
【請求項２】
請求項１の表示器の標示システムであって、
マスター器から各標示器に、マスター器に対する配置順序を報知することを特徴とする表示器の標示システム。
【請求項３】
請求項１又は請求項２の表示器の標示システムであって、
複数の標示器をブロック内数で区分し、そのブロック数内の順序に従って標示器の表示灯を点灯することを特徴とする表示器の標示システム。
【請求項４】
請求項３の表示器の標示システムであって、
標示器の表示灯の点灯制御を標示器に備える制御器で行なうことを特徴とする表示器の標示システム。
【請求項５】
請求項１の表示器の標示システムであって、
表示灯を点灯する点灯制御をマスター器に備える制御器で行なうことを特徴とする表示器の標示システム。
【請求項６】
請求項５の表示器の標示システムであって、
複数の標示器をブロック内数で区分し、そのブロック数内の順序に従って標示器の表示灯を点灯することを特徴とする表示器の標示システム。
【発明の詳細な説明】
【技術分野】
【０００１】
本願発明は、主として、工事現場等における危険箇所を知らせる表示器の標示システムに関する。
【背景技術】
【０００２】
従来道路工事現場や建設現場において使用される表示器の標示システムとして、特許文献１、特許文献２が知られている。
特許文献１に開示の表示システムは、工事現場に配列の複数の表示器に対して、点滅動作で、その工事現場を知らせるものであり、配列順序に、点滅をする表示器である。この動作のため、各表示器には時計を備えると共に、点滅する遅れ時間を設定し、その遅れ時間に従って点灯し、その後、所定時間経過後に消灯するシステムであり、配列順に点灯されて、危険箇所を報知する。
又、特許文献２には、複数配列の表示器に対して、電波信号に基づいて、点灯、消滅するシステムであり、配列された表示器の全部が一斉に点灯し、消滅するものである。
【先行技術文献】
【特許文献】
【０００３】
【特許文献１】特開平７−３０２０５５号公報
【特許文献２】特開２０１１−８４９８７号公報
【発明の概要】
【発明が解決しようとする課題】
【０００４】
特許文献１開示の複数配列された表示器において、順次、配列順序に従って点灯するシステムにおいて、各表示器に対して、何番目に配列されたことに従って、遅れ時間を設定しなければならず、表示器の配列を変更したときには、再度、変更した表示器の遅れ時間を設定し直さなければならない。
又、特許文献２に開示の標示システムでは、複数配列の表示器に対して、一定に、点灯、消滅をするものであり、配列順序に従って、点灯するシステムではない。
そこで、本願発明では、複数配列の表示器に対して、表示器の配列を変更しても、新たに設定することなく、順序に従って、点灯、消滅を行なう標示システムを提供する。
【課題を解決するための手段】
【０００５】
請求項１の表示器の標示システムは、複数配列の表示器とマスター器であって、標示器には発信器と受信機及び制御器を備え、前記マスター器には前記標示器の発信器の搬送波を受信する受信器と前記標示器の受信器で受信する搬送波を送信する発信器及び制御器を備えている。そして、前記マスター器による初期化信号を受信した各表示器は、標示器の識別符号を伴って発信し、該搬送波をマスター器で受信することによって、マスター器は配列された標示器の識別符号により配列順序を知る。
又、請求項２の表示器の標示システムは、請求項１において、マスター器から各標示器に、マスター器に対する配置順序を報知する。
【０００６】
又、請求項３の表示器の標示システムは、請求項１又は請求項２において、複数の標示器をブロック内数で区分し、そのブロック数内の順序に従って標示器の表示灯を点灯する。
請求項４の表示器の標示システムは、請求項３において、標示器の表示灯の点灯制御を標示器に備える制御器で行なう。
又、請求項５の表示器の標示システムは、請求項１の表示器の標示システムであって、表示灯を点灯する点灯制御をマスター器に備える制御器で行なうこと。
又、請求項６の表示器の標示システムは、請求項５の表示器の標示システムであって、複数の標示器をブロック内数で区分し、そのブロック数内の順序に従って標示器の表示灯を点灯する。
【発明の効果】
【０００７】
複数配列の標示器を任意に配列しても、予め決められた順序で点灯することができる。
【図面の簡単な説明】
【０００８】
【図１】工事道路等の危険箇所を報知するために設置のマスター器と複数の表示器である。
【図２】第１の実施の形態におけるマスター器における制御器を介するフローを示す図である。
【図３】第１の実施の形態における表示器における制御器を介するフローを示す図である。
【図４】表示器における点灯態様を示す図である。
【図５】第２の実施の形態におけるマスター器における制御器を介するフローを示す図である。
【図６】第２の実施の形態における表示器における制御器を介するフローを示す図である。
【発明を実施するための形態】
【０００９】
（第１の実施の形態）
この第１の実施の形態は、表示灯の点灯制御を各標示器で行なうシステムであり、図１〜図３を参照して説明する。
図１は、工事道路等の危険箇所を報知するために設置するマスター器１と複数の表示器３である。
マスター器１の主たる機器構成のブロックは、制御器（ＣＰＵ，メモリ等）、Ｉ・Ｏインターフェース、発信器と受信器での構成である。
一方、表示器３は、制御器（ＣＰＵ，メモリ等）、Ｉ・Ｏインターフェース、前記マスター器１の発信器からの搬送波を受信する受信器と、前記マスター器１の受信器で受信可能な搬送波を発信する発信器及び表示灯（ＬＥＤ）を備えている。
【００１０】
マスター器１における制御器で実行するフローを示す図２、表示器３における制御器で実行するフローを示す図３、複数設置の表示器における点灯態様を示す図４を参照して、本願の標示システムについて説明する。
尚、表示器３には、それぞれ識別符号を有していて、本実施の形態では、マスター器１に近い表示器から「ａ、ｃ，ｄ，ｂ，ｓ，ｇ，ｙ，ｆ，ｅ、ｑ、ｚ、ｈ」の識別符号を有する１２個が配置してある。
【００１１】
また、ブロック内数Ｌを採用し、その数を、例えば、「５」とする。このブロック内数Ｌは、必ずしも採用する必要はないが、複数台設置の表示器３を順次点灯するに当たって、設置台数が多いとき、最初から最後まで点灯すると、各標示器の点灯時間間隔が長くなり,点灯する危険位置が判らないのを防止するために、区分された配置数で繰り返し点灯すことにより明確になることを目的として、この実施の形態では、ブロック内数Ｌを採用して、ブロック内数Ｌ内で、順次に点灯する方式を採用している。
例えば、図４に示す各識別符号「ａ、ｃ，ｄ，ｂ，ｓ，ｇ，ｙ，ｆ，ｅ、ｑ、ｚ、ｈ」を有する配列された表示器３は、ブロック内数Ｌを５に設定すると、「ａ、ｃ，ｄ，ｂ，ｓ」（ブロック１），「ｇ，ｙ，ｆ，ｅ、ｑ」（ブロック２）、「ｚ、ｈ」（ブロック３）に区分され、１番目に点灯する表示器は、「ａ、ｇ、ｚ」、次に表示する表示器は「ｃ、ｙ、ｈ」・・となる。
【００１２】
図１に示すマスター器１の制御フローについて説明すると、リセット信号等で、Ｔｉｍｅを初期化する（Ｓ１）。尚、このＴｉｍｅは、必ずしも必要ではないが、表示器３に供えてある時計の誤差を修正するために、後述のＳ１１で、予め設定のＮになったとき、初期化して、表示器１の配列の報知に続いて、点滅を行なう。
【００１３】
そして，初期化信号を搬送波に載せて発信器から発信する（Ｓ３）。この初期化信号は、各表示器３で受信され（図３  Ｓ３０）、受信後、各表示器３は識別符号を搬送波に載せて発信器から発信する（Ｓ３２）。
この識別符号は、マスター器１に近い設置の表示器３から順次、マスター器１の受信器で受信されるので、その受信順序によって、表示器３の配列順序が判る（Ｓ５）。図４に示す例では、マスター器１に近い順として、識別符号「ａ、ｃ，ｄ，ｂ，ｓ，ｇ，ｙ，ｆ，ｅ、ｑ、ｚ、ｈ」を有する表示器３であることを知る。
【００１４】
次に、マスター器１は、前記各表示器３の配列順序ｎが判明したので、その順序ｎと識別符号及びブロック内数Ｌを送信する（Ｓ７）．
一方、各表示器３は、識別符号を受信し、その識別符号が自身が有する識別符号と一致したとき（Ｓ３４）、順序ｎ、ブロック内数Ｌを受けとる（Ｓ３６）．
そして、前記順序ｎが、ブロック内数の何番目に該当するかを算出するため、ｉを初期化し（Ｓ３８）、ｉに１をプラスして、ｉを１にセットし（Ｓ４０）、ｎ―Ｌ＊ｉが負になるまでｉを増加し（Ｓ４０）、負になったとき（Ｓ４２）、ｎ＝ｎ−Ｌ＊（ｉ―１）の演算を行い（Ｓ４４）、順序ｎを再定義する。
すなわち、この再定義されたｎが、ブロック内数Ｌにおける順序である。例えば、識別符号ｆを有する表示器１は、８番目に設置してあるが、ブロック内数Ｌを５とすると、ブロック内ではｎ＝３番目となる。
【００１５】
次に、マスター器１は、点灯開始信号を発すると（Ｓ９），その信号を受信した各表示器３（Ｓ５０）は、Ｔ（タイマー）を初期化して（Ｓ５２）．Ｔ＝（ｎ−１）＊δｔの演算を行なう（Ｓ５４）。この演算は、Ｔ（タイマー）の初期化から、点灯開始までの時間であり、ブロック内数の順序に従う点灯時刻であり、表示灯（ＬＥＤ）を点灯する（Ｓ５６）。一方、Ｔ＝ｎ＊δｔになったら（Ｓ５８），表示灯（ＬＥＤ）は消灯する（Ｓ６０）。
例えば、前記識別符号ｆを有する表示器１は、ブロック内では３番目であるので、２δｔ後に点灯し、Ｔ＝３＊δｔになったら（Ｓ５８），表示灯（ＬＥＤ）は消灯する（Ｓ６０）。
なお、Ｔ（タイマー）がＬ＊δｔになったら、全てのブロック内数の点灯が終了したことになるので、Ｔ（タイマー）を初期化して、次の点灯に備える。
【００１６】
以上のように、複数設置の表示器３は、マスター器１との交信により、マスター器１は表示器の配列順序が判り、その配列順序を各標示器に報知する。そのため、ある表示器を並べ替えても、マスター器１の初期化以後の処理によって、並び替えられた、新たな順序を知ることができる。
従って、表示器３を全く任意に設置しても、各表示器はブロック数内での配列順序が認識でき、その配列順序に基づいて、点灯消滅をする。
【００１７】
例えば、識別符号「ａ、ｃ，ｄ，ｂ，ｓ，ｇ，ｙ，ｆ，ｅ、ｑ、ｚ、ｈ」を有する表示器３がマスター器１から順次、遠くに配列されているとき、ブロック内数Ｌが５であるときには、図４に示すように、ブロック１では「ａ」の表示器、ブロック２では「ｇ」の表示器、ブロック３では「ｚ」の表示器がｎ＝１に設定され、点灯開始信号によりδｔ時間、点灯する。そして、δｔ時間が経過すると、前記点灯した表示器は消灯し、新たに、ｎ＝２に設定されるブロック１では「ｃ」の表示器、ブロック２では「ｙ」の表示器、ブロック３では「ｈ」の表示器がδｔ時間、点灯する。以下、各ブロック内の表示器は、順次、δｔ時間点灯した後に消滅する。
尚、ブロック内数Ｌを１にすると、全表示器３が点灯、消灯するし、多くの数にすると、順次、その数に至るまで、点灯、消灯する。
【００１８】
（第２の実施の形態）
この第２の実施の形態は前記の制御とは異なり、マスター器１において、点灯する表示器３を選定して、発信器により発信し、その信号を受信した表示器３は点灯するシステムであり、図５、図６を参照して説明する。
【００１９】
マスター器１は、初期化信号を発信器から発信する（Ｓ２）。この初期化信号は、各表示器で受信され（図６  Ｓ３０）、受信後、受信後、各表示器３は識別符号を発信器から発信する（Ｓ３２）。
この識別符号は、マスター器１に近い表示器３から順次、マスター器１の受信器で受信されるので、その受信順序によって、表示器の配列順序、及び、標示器の総数Ｍが判る（Ｓ５）。即ち、図４に示す例では、マスター器１に近い順として、識別符号「ａ、ｃ，ｄ，ｂ，ｓ，ｇ，ｙ，ｆ，ｅ、ｑ、ｚ、ｈ」を有する表示器３であることを知る。
【００２０】
次に、各標示器に点灯信号を発するため、ブロック内数Ｌでの順序を決めるカウンタｉを初期化して（Ｓ１００）、ｉ＝ｉ+１とする（Ｓ１０２）、次に、ブロック数のカウンタｊを初期化し（Ｓ１０４），ｊ＝ｊ+１とする（Ｓ１０６）。
次に、各ブロック内の標示器における順序ｎを（ｊ−１）＊Ｌ+１で求める（Ｓ１０８）。そして、このｎに対応する標示器の識別符号を発信すると（Ｓ１１０）、その識別符号を受信し、同じ識別符号を有する標示器は表示灯を点灯する（Ｓ３４，Ｓ１３０）．そして、ｊがＭ/Ｌ+１（Ｍは配列された標示器の総数）に一致するまで、即ち、ブロック内数Ｌで区分されたブロック数に至るまで行なう。
即ち、ｎ＝１、ｎ＝６、ｎ＝１１である識別符号ａ、ｇ、ｚを有する標示器が点灯する。
【００２１】
そして、タイマーＴを初期化し（Ｓ１１４）、タイマーＴがδｔになるまでカウントする（Ｓ１１６、Ｓ１１８）。このタイマーＴは、点灯している時間である。即ち、この時間が経過すると、次に点灯するｎの識別符号が選定され、不一致のときには、表示灯が消灯される（Ｓ３４，Ｓ１３２）．
【００２２】
次に、カウンタｉがブロック内数Ｌであるか否かを判断し（Ｓ１２０）、一致しないときには、カウンタｉに１を加算する（Ｓ１０２）。この処置は、ブロック内において、次に、カウンタｉが２番目に点灯する標示器を選定するものであり、ｎ＝２、ｎ＝７，ｎ＝１２の識別符号ｃ、ｙ、ｈの標示器の表示灯が点灯する。
次に、カウンタｉに１を加算して（Ｓ１０２）、ブロック内において、カウンタｉが３番目に点灯する標示器を選定するものであり、ｎ＝３、ｎ＝８の識別符号の標示器が点灯する。
【００２３】
以上のように、マスター器１は、マスター器１から近い順の複数は位置の表示器３の識別符号及び標示器の総数を知り、ブロック内数Ｌ，点灯時間を設定することによって、ブロック内における順序に基づいて、識別符号を発信し、その識別符号と一致する表示器の表示灯は点灯し、不一致のとき消灯することにより、図４に示すと同様に、点灯する標示器及び点灯する時間を制御することもできる。
【００２４】
尚、前記各実施の形態において、マスター器は標示器と独立しているが、表示器と一緒に構成してもよく、この場合、独立して設置する標示器の順序番号を変えるだけで同じシステムを構成できる。又、各実施の形態において、各標示器の配列は、マスター器に近い順序で知るシステムであるが、遠い順で知って構成してもよい。
【００２５】
本願の発明は、マスター器１と表示器３との交信によって、マスター器１に対して、各表示器３の配列を知ることができ、何れの表示器を点灯、消滅させるか、例えば、ブロックに区分して、又、配列順序に従って、或いは、奇数の次に偶数順の配列で、点灯消滅させるか等、及び、その制御をマスター器で行なうか、各表示器で行なうか等、種々の制御方式によって行うことができ、どのように構成するかは、適宜、経済性等を考慮して選択する。
【符号の説明】
【００２６】
１  マスター器
３  標示器
【図１】
2016018231.tif 000003
【図２】
2016018231.tif 000004
【図３】
2016018231.tif 000005
【図４】
2016018231.tif 000006
【図５】
2016018231.tif 000007
【図６】
2016018231.tif 000008